(57)【要約】【課題】  入室管理システムにおけるカードリーダーの取付け構造であって、間仕切り装置の外観を損なうことなく、しかもメンテナンスや補修を容易に行うことが出来るカードリーダーの取付け構造の提供。【解決手段】  部屋の入口ドアや引戸付近には所定の間隔をおいて２本のスタッド９，８を起立し、両スタッド９，８間に形成される空間１０の表面側にはガラスパネル１１ａを設けている。ガラスパネル１１ａのガラス枠１３に設けた取付け部１４，１４には受け金具５を取付け、該受け金具５には上記ガラスパネル１１ａと近接又は接触状態でカードリーダー３を取着している。そして上記空間１０の背面側には両スタッド９，８に跨って取付けた取付け枠１５に点検パネル１２をネジ止めしている。【選択図】    図２
2008240491.tif 000002
【特許請求の範囲】
【請求項１】
入室管理システムにおけるカードリーダーの取付け構造において、部屋の入口ドアや引戸付近には所定の間隔をおいて２本のスタッドを起立し、両スタッド間に形成される空間の表面側にはガラスパネルを設け、ガラスパネルのガラス枠に設けた取付け部には受け金具を取付け、該受け金具には上記ガラスパネルと近接又は接触状態でカードリーダーを取着し、そして上記空間の背面側には両スタッドに跨って取付けた取付け枠に点検パネルをネジ止めしたことを特徴とするカードリーダーの取付け構造。
【請求項２】
入室管理システムにおけるカードリーダーの取付け構造において、部屋の入口ドアや引戸付近には所定の間隔をおいて２本のスタッドを起立し、両スタッド間に形成される空間の表面側にはガラスパネルを設け、ガラスパネルのガラス枠に設けた取付け部には受け金具を取付け、該受け金具には上記ガラスパネルと近接又は接触状態でカードリーダーを取着し、そして上記空間の背面側には両スタッドに跨って取付けた取付け枠にガラスパネルをネジ止めし、上記受け金具の背面側にも背面側のガラスパネルに近接又は接触状態でカードリーダーを取付けたことを特徴とするカードリーダーの取付け構造。
【請求項３】
上記受け金具にはカードリーダーの他にテンキーを取付けた請求項１、又は請求項２記載のカードリーダーの取付け構造。
【請求項４】
上記受け金具にはカードリーダーの他に指紋認証器を取付けた請求項１、請求項２、又は請求項３記載のカードリーダーの取付け構造。
【請求項５】
上記両スタッド間に電源ユニット及びコントローラーを設けた請求項１、請求項２、請求項３、又は請求項４記載のカードリーダーの取付け構造。
【発明の詳細な説明】
【技術分野】
【０００１】
本発明はセキュリティが要求される特別な部屋へ入る際の管理システムを構成するカードリーダーの取付け構造に関するものである。
【背景技術】
【０００２】
高度情報社会において保護に値する情報ないし物品、装置類は極めて多く存在し、各種法人、地方公共団体、地方自治体、国家を問わずこれら秘匿性または機密性の高い情報や物品等が窃用若しくは盗難に遭遇すれば、諸団体自体ならびに責任者等にとって危急存亡の危機を招くことも起こり得る。なお、情報類の窃用若しくは盗難にはハードコピー、格納メディアの持ち出し、複写または電気通信回線を経由しての転送等による情報の内容のみの窃用ないし電子カメラによる盗撮等も含まれる。
【０００３】
このような機密性の高い情報や物品類を保護するための一つの方策として、これら秘密保持対象を保管ないし収蔵するエリアに対して不特定人を近づけないように配慮しなくてはならない。その為に、上記秘密保持対象を保管している部屋への入室を許可された人にＩＣカードを与え、入室時に所持しているＩＣカードを入口付近に設置しているカードリーダーにて読み取らせる方法が採られている。
【０００４】
ところで、カードリーダーを備えた入室管理システムに関する従来技術は色々知られている。例えば、特開２００６−１４４３８４号に係る「セキュリティ強化入室管理システム」は、機密保持対象の保管施設等への出入者を厳格に管理するためのものである。そこで、第1、第２の扉、両側壁との間に形成される閉鎖空間の床面に敷設される体重信号検出手段と、閉鎖空間内であって第２の扉付近に設置される入室適格者判別のための個人情報識別センサと、個人情報識別センサ及び前記体重信号検出手段の出力を受けて前記第１、第２の扉の施・開錠制御を行う制御手段と、を備え、前記制御手段は閉鎖空間内が無人である場合に第1の扉の開錠を許容し、その後体重信号検出手段の出力信号を受けて第1の扉から後続者の進入を拒絶するように施錠した後、前記閉鎖空間内に設置された個人情報識別センサによって検出される個人識別情報を照合することによって入室希望者を特定し適格者と判断されることを条件として第２の扉の開錠を許可する。
【０００５】
特開平７−１３９２３４号に係る「入室管理装置」は、入室者１名のみの入室を可能にするものであり、カードをカードリーダーに挿入しセキュリティデータが一致すると、ガードフラップのロックが解除され、把手を操作してガードフラップを開放すると、ドア、ガードフラップ及びガードバーの間に入室者１名分の空間が形成される。入室者が体重センサーに載ると体重が測定され、体重が１名分＋荷物分以下であると、入室者１名のみが入室しようとしていると判断して、ドアのロックを解除する。入室者がドアを開くとこれに伴ってガードフラップが閉じられ、ガードフラップがロックされ、ドアを閉じるとドアがロックされる。
【特許文献１】特開２００６−１４４３８４号に係る「セキュリティ強化入室管理システム」
【特許文献２】特開平７−１３９２３４号に係る「入室管理装置」
【発明の開示】
【発明が解決しようとする課題】
【０００６】
このように部屋への入室管理システムに関する技術は従来から色々開発されている。ところで、近年では大きな建物内を仕切って各種の部屋空間が作られるが、建物内部を仕切る為の手段として間仕切り装置が用いられることが多い。本発明が対象とする部屋もこの間仕切り装置によって仕切られ、入口には引戸やドアが取付けられている。ところで、間仕切り装置によって仕切られた部屋の入口付近に入室管理システムを構成するカードリーダーを取付けることになるが、このカードリーダーの取付けに関し、部屋への入出管理機能を向上させると共に、後のメンテナンスや補修を考慮した取付け構造でなくてはならない。
【０００７】
又、入口付近に取付けたカードリーダーが間仕切り装置の外観を損なうような取付け構造であってはならない。本発明は間仕切り装置の外観を損なうことなく、しかも基本構造を同じくした上で必要に応じて退室時の管理も行うことが出来るように構成し、又メンテナンスや補修が容易に行うことが出来るカードリーダーの取付け構造を提供する。
【課題を解決するための手段】
【０００８】
本発明のカードリーダー取付け構造は、入口の付近に所定の間隔をおいて起立したスタッド間に形成される空間にカードリーダーを取付けている。又、必要に応じてカードリーダーの他にテンキーや指紋認証器を取付けることもある。カードリーダーは受け金具に取着されるが、この受け金具はガラスパネルのガラス枠に固定されている。
【０００９】
そして、背面側には両スタッドに跨って取付け枠が取着され、この取付け枠には点検パネルが着脱可能にネジ止めされている。又、スタッド背面側となる室内側にもカードリーダーを取付けることも出来るが、この場合には上記点検パネルの代わりに正面側と同じようにガラスパネルが取付けられる。そして、この場合、該カードリーダーは正面側カードリーダーが取付けられる受け金具が兼用される。
【００１０】
ところで、ＩＣカードなどをガラスパネルに近づけることで該ガラスパネルに面して配置されるカードリーダーは機能する。勿論、テンキーもガラスパネル側から操作し、指紋認証器もガラスパネルに設けた開口から行われる。ここで、上記ガラスパネルは間仕切り装置の間仕切りパネルとほぼ同一面と成って、外観上は間仕切り装置の一部を構成するようにスタッドに取付けられている。
【発明の効果】
【００１１】
カードリーダーは入口付近に起立した両スタッドによって形成される空間に取付けられ、しかもカードリーダーはガラスパネルのガラス枠に取着した受け金具に取付けられている。そして、同じ受け金具を兼用して室内側にもカードリーダーを取付けることが出来る。室内側にカードリーダーを設けない場合には、点検パネルが取付けられるが、メンテナンスや補修が必要な時にはネジと弛めて点検パネル又はガラスパネルを取外して行うことが出来る。
【００１２】
そして、カードリーダーの正面にはガラスパネルが取付けられているために、ガラスパネルを介して非接触状態で機能することが出来、その為にカードリーダーが表面化しない為に、間仕切り装置の外観を損なうことはなく、間仕切りパネルと同じ外観となっている。
【実施例】
【００１３】
図１はカードリーダーを備えた間仕切り装置の正面図を表している。同図の１はドア、２は間仕切りパネル、３はカードリーダー、４はテンキー及び指紋認証器をそれぞれ表している。上記ドア１は通常ロックされていて、誰でも開いて入室することは出来ない。入室する際にはドア１の隣に備えている上記カードリーダー３、テンキー及び指紋認証器４にて確認された人だけがドア１を開くことが出来るように自動管理されている。
【００１４】
本発明では上記カードリーダー３、テンキー及び指紋認証器４の具体的な構成は限定しない。例えば、カードリーダー３の場合、該カードリーダー３から微弱な電波を放出し、各自が所持しているＩＣカードを近づけるならば、カードに組み込んでいるＩＣチップの固有情報をカードリーダー３へ送り出すように構成することが出来る。
【００１５】
図２は本発明の実施例であり、カードリーダー３の取付け構造を示す横断面図で、（ａ）は正面側（入室側）にカードリーダー３を取付けた場合、（ｂ）は正面側（入室側）と背面側（退室側）にカードリーダー３，３を取付けた場合を示している。本発明は共通する受け金具５を使用して正面側及び背面側にカードリーダー３、更にはテンキー及び指紋認証器を取付けることが出来る。すなわち、基本構造を共通化して、必要に応じて背面側にもカードリーダー３を取付けることが出来る構造と成っている。
【００１６】
ドア１は部屋の入口に取付けられ、ヒンジを介して開閉可能と成っている。ここでドア１は間仕切り装置の一部として構成され、入口には門形枠体が据え付けられ、上記ヒンジ(図示なし)は門形枠体の一方側縦桟７ｂに取着され、他方側の縦桟７ａにはドア１が閉じる際の戸当り６が取付けられている。
【００１７】
門形枠体の両縦桟７ａ，７ｂの両側にはスタッド８，８が起立している。すなわち、両スタッド８，８間に門形枠体を嵌めている。そして、該スタッド８と所定の距離を隔てた位置には別なスタッド９が起立しており、両スタッド９，８間の空間１０にカードリーダー３が備わっている。ところで、図２(ａ)に示す間仕切り装置の場合、スタッド９とスタッド８との間にはガラスパネル１１ａが正面側に取付けられ、背面側には点検パネル１２が取付けられている。そして、図２(ｂ)に示す間仕切り装置の場合、スタッド９とスタッド８との間にガラスパネル１１ａ，１１ｂが正面側と背面側に取付けられている。
【００１８】
上記カードリーダー３は受け金具５に取着されているが、該受け金具５は正面側のガラスパネル１１ａを構成しているガラス枠１３に設けた取付け部１４，１４にネジ止めされている。ガラス枠１３にはガラス板１５が嵌って取付けられ、該ガラスパネル１１ａは両スタッド９，８に跨って取付けられ、隣の間仕切パネル２と共に該スタッド９，８にネジ止めされている。
【００１９】
スタッド９，８にネジ止めする具体的な構造は、従来と同じように間仕切パネル２及びガラスパネル１１ａの側縁に形成したＬ形の止着片を目地押えを介してネジ止めしている。又、背面側に取付けている点検パネル１２はスタッド９，８にネジ止めにて取付けた取付け枠１５に締付けネジ１６，１６・・を介して取付けられている。又、図２(ｂ)のように背面側にもガラスパネル１１ｂを取付ける場合には、スタッド９，８に取着している取付け枠１７に設けているナット１８，１８・・に締付けネジ１６，１６・・を介して取付けている。
【００２０】
図３はカードリーダーの取付け構造を表す縦断面である。正面側のガラスパネル１１ａはアジャスターにて支持されている巾木１９の上に載り、上部には上縁パネル２０がガラス枠１３に固定され、上縁パネル２０は天井レール２１に嵌っている。同図の５は受け金具であり、この受け金具５にカードリーダー３が取付けられている。又、同図の２４はコントローラーを表している。
【００２１】
上記点検パネル１２を取付けている取付け枠１５の上方には上部パネル２２が取付けられ、下方には下部パネル２３が連結して取付けられている。そして、下部パネル２３は上記巾木１９に載り、上部パネル２２の上端は上記天井レール２１に嵌っている。すなわち、上部パネル２２と下部パネル２３を備えた取付け枠１５に点検パネル１２が締付けネジ１６，１６・・を介して取付けられ、該締付けネジ１６，１６・・を弛めることで点検パネル１２は取外される。
【００２２】
図４は薄型間仕切装置にカードリーダー３を取付けた取付け構造を示す横断面図であり、図５は縦断面図を表している。基本的な構造は前記図２、図３の場合と共通しているが、受け金具２５の形状が違っている。すなわち、該受け金具２５は１枚の金属板で構成している。
【００２３】
ところで、ガラスパネル１１ａ，１１ｂの裏面にはカードリーダー３が透けて見えないようにシールが貼着されている。受け金具５の正面側にカードリーダー３が取着されることで、該カードリーダー３のメンテナンス又は補修時には、背面側の点検パネル１２を取外して行うことが出来る。又、図２(ｂ)、及び図４（ｂ）に示すように背面側にもガラスパネル１１ｂを取付けている場合には、このガラスパネル１１ｂが取外される。
【００２４】
そして、受け金具５には上記カードリーダー３の他にテンキー及び指紋認証器４も取着されていて、テンキー及び指紋認証器４のメンテナンスや補修時にも点検パネル１２又はガラスパネル１１ｂを取外して行う。一方、両スタッド９，８間に形成される空間１０には後述する電源ユニット及びコントローラー２４を収容している。
【００２５】
このように、本発明に係るカードリーダー取付け構造は、その表面がガラスパネルを備えて仕切られた空間内に取付けられ、外観は間仕切りパネル２と組み合わされて間仕切り装置の一部を構成している。そして、上記両スタッド９，８間の空間１０に収容しているコントローラー２４は制御装置であり、カードリーダー３、テンキー及び指紋認証器４からの信号を受けて、ドア１のロックを解除することが出来る。電源ユニットは上記カードリーダー３、テンキー及び指紋認証器４が作動するに必要な電源として機能している。
【図面の簡単な説明】
【００２６】
【図１】ドアの隣にカードリーダー、テンキー及び指紋認証器を備えた間仕切り装置。
【図２】本発明に係るカードリーダーの取付け構造を示す横断面図。
【図３】本発明に係るカードリーダーの取付け構造を示す縦断面図。
【図４】本発明に係るカードリーダーの取付け構造を示す横断面図。
【図５】本発明に係るカードリーダーの取付け構造を示す縦断面図。
【符号の説明】
【００２７】
１  ドア
２  パネル
３  カードリーダー
４  テンキー及び指紋認証器
５  受け金具
６  戸当り
７  縦桟
８  スタッド
９  スタッド
10  空間
11  ガラスパネル
12  点検パネル
13  ガラス枠
14  取付け部
15  ガラス板
16  締付けネジ
17  取付け枠
18  ナット
19  巾木
20  上縁パネル
21  天井レール
22  上部パネル
23  下部パネル
24  コントローラー
25  受け金具
【図１】
2008240491.tif 000003
【図２】
2008240491.tif 000004
【図３】
2008240491.tif 000005
【図４】
2008240491.tif 000006
【図５】
2008240491.tif 000007